(57)【特許請求の範囲】
【請求項１】
ホワイトバランス制御された色信号に対して、与えられる色補正信号によって所定の色補正を加えるようにした撮像装置において、
上記ホワイトバランス制御を様々なモードに応じて行うホワイトバランス制御手段と、
上記ホワイトバランス制御の様々なモードを切り替えるためのモード切り替え手段と、
上記ホワイトバランス制御の様々なモードに応じて、モードごとに異なる補正量の色補正信号を出力するモード数と同じ数の色補正制御手段と、
上記色補正制御手段から出力される色補正信号に基づいて、上記ホワイトバランス制御手段から出力される色信号に対して上記所定の色補正を行う色補正手段とを備え、
上記モード切り替え手段により切り替えられたモードに対応する色補正制御手段を用いて上記所定の色補正を行うようにしたことを特徴とする撮像装置。
【請求項２】
上記ホワイトバランス制御の様々なモードは、少なくとも自動ホワイトバランス制御モードとホワイトバランスセットモードとを含むことを特徴とする請求項１に記載の撮像装置。
【請求項３】
上記ホワイトバランス制御の様々なモードは、少なくとも自動ホワイトバランス制御モードとプリセットホワイトバランスモードとを含むことを特徴とする請求項１に記載の撮像装置。
【請求項４】
撮像素子の出力または外部光センサの出力に基づいて被写体を照明する光源の色温度を判定し、自動的にホワイトバランス制御を行う第１のホワイトバランス制御手段と、
上記第１のホワイトバランス制御手段とは独立にホワイトバランス制御を行い、その制御結果を保持する第２のホワイトバランス制御手段と、
上記第１のホワイトバランス制御手段を用いるモードと上記第２のホワイトバランス制御手段を用いるモードとの少なくとも２つのモードを切り替えるモード切り替え手段と、
上記第１のホワイトバランス制御手段または上記第２のホワイトバランス制御手段によるホワイトバランス制御後の色信号に対して所定の色補正を加える色補正手段と、
上記第１のホワイトバランス制御手段によるホワイトバランス制御に応じて上記色補正手段での補正量を決定する第１の色補正制御手段と、
上記第２のホワイトバランス制御手段によるホワイトバランス制御に応じて上記色補正手段での補正量を決定する第２の色補正制御手段とを備え、
上記第１の色補正制御手段と上記第２の色補正制御手段とで決定する補正量が異なることを特徴とする撮像装置。
【請求項５】
撮像素子の出力または外部光センサの出力に基づいて被写体を照明する光源の色温度を判定し、自動的にホワイトバランス制御を行う第１のホワイトバランス制御手段と、
上記第１のホワイトバランス制御手段とは独立し、少なくとも１つの特定のホワイトバランス制御信号を記憶しており、上記特定のホワイトバランス制御信号に基づいてホワイトバランス制御を行う第２のホワイトバランス制御手段と、
上記第１のホワイトバランス制御手段を用いるモードと上記第２のホワイトバランス制御手段を用いるモードとの少なくとも２つのモードを切り替えるモード切り替え手段と、
上記第１のホワイトバランス制御手段または上記第２のホワイトバランス制御手段によるホワイトバランス制御後の色信号に対して所定の色補正を加える色補正手段と、
上記第１のホワイトバランス制御手段によるホワイトバランス制御に応じて上記色補正手段での補正量を決定する第１の色補正制御手段と、
上記第２のホワイトバランス制御手段によるホワイトバランス制御に応じて上記色補正手段での補正量を決定する第２の色補正制御手段とを備え、
上記第１の色補正制御手段と上記第２の色補正制御手段とで決定する補正量が異なることを特徴とする撮像装置。
【請求項６】
上記色補正手段により行われる所定の色補正は、色差信号の利得を制御する処理であることを特徴とする請求項１〜５の何れか１項に記載の撮像装置。
【請求項７】
上記色補正手段により行われる所定の色補正は、色差信号の色相を制御する処理であることを特徴とする請求項１〜５の何れか１項に記載の撮像装置。
【発明の詳細な説明】
【０００１】
【発明の属する技術分野】
本発明は撮像装置に関し、特に、ホワイトバランス制御の後に所定の色補正を行うようになされたビデオカメラに関するものである。
【０００２】
【従来の技術】
従来、ビデオカメラなどの撮像装置において、ホワイトバランス制御を自動的に行う手段が提案されている。以下、この自動ホワイトバランス制御に関する従来例について図面を用いて説明する。
【０００３】
図５は、従来の自動ホワイトバランス制御手段を説明するためのビデオカメラのブロック構成図である。
図５において、１は被写体の結像用レンズ、２はアイリス、３は入射した光を光電変換する撮像素子、４はフィードバックループにより撮像素子３からの撮像信号を適正レベルに増幅するＡＧＣアンプ（自動利得制御回路）である。
【０００４】
５は輝度色度信号生成回路であり、ＡＧＣアンプ４で増幅された撮像信号を輝度信号ＹＨ，ＹＬと色度信号Ｒ，Ｂとに変換する。６は赤色信号Ｒに対する利得制御回路、７は青色信号Ｂに対する利得制御回路である。８は色差信号生成回路であり、各利得制御回路６，７で利得制御された色度信号Ｒ′，Ｂ′から色差信号Ｒ−Ｙ′，Ｂ−Ｙ′を生成する。
【０００５】
９は色差ゲイン補正回路であり、色差信号生成回路８で生成された色差信号Ｒ−Ｙ′，Ｂ−Ｙ′の利得を制御する。１０はエンコーダ回路であり、色差ゲイン補正回路９で利得の制御された色差信号Ｒ−Ｙ，Ｂ−Ｙを標準テレビジョン信号に変換する。１１はホワイトバランス制御のための色信号検出部である。
【０００６】
１２は検出された色信号から補正信号を演算して自動的にホワイトバランス補正を行うための第１の補正信号演算部、１３はホワイトバランスセットの制御を行うための第２の補正信号演算部、１４は各利得制御回路６，７に対してホワイトバランス補正信号を出力する補正信号出力部、１５は第１の補正信号演算部１２の制御基準値を与える第１のリファレンス、１６は第２の補正信号演算部１３の制御基準値を与える第２のリファレンスである。
【０００７】
１７はモード選択スイッチであり、自動ホワイトバランス制御演算を行う第１の補正信号演算部１２と、ホワイトバランスセット演算を行う第２の補正信号演算部１３との何れか一方を選択する。１８はホワイトバランスの補正値に応じた色差ゲイン補正量を出力する色補正制御部、３１は補正信号出力部１４からされるＲゲイン補正信号、３２は補正信号出力部１４から出力されるＢゲイン補正信号である。
【０００８】
なお、上記自動ホワイトバランス制御とは、撮像素子３の出力または図示しない外部光センサの出力に基づいて被写体を照明する光源の色温度を判定し、自動的にホワイトバランス制御を行うものである。また、ホワイトバランスセットとは、上記自動ホワイトバランス制御とは独立にホワイトバランス制御を行い、その制御結果を保持するものであり、画像中の色成分の平均値を０にするように動作する。
【０００９】
以下、上記のように構成した撮像装置の動作を説明する。
レンズ１およびアイリス２を介して撮像素子３に入射した被写体の光信号は、ここで光電変換され、ＡＧＣアンプ４で適正レベルに増幅された後、輝度色度信号生成回路５に供給される。輝度色度信号生成回路５では、輝度信号の高周波成分ＹＨと低周波成分ＹＬ、および赤色信号Ｒと青色信号Ｂとが生成される。
【００１０】
上記輝度色度信号生成回路５で生成された赤色信号Ｒ、青色信号Ｂは、それぞれ利得制御回路６，７に入力され、そこで補正信号出力部１４からのホワイトバランス制御信号（Ｒゲイン補正信号３１、Ｂゲイン補正信号３２）によって増幅され、それぞれ色度信号Ｒ′，Ｂ′として出力される。そして、これらの色度信号Ｒ′，Ｂ′は、上記輝度信号の低周波成分ＹＬと共に色差信号生成回路８に入力され、ここで色差信号Ｒ−Ｙ′，Ｂ−Ｙ′が生成される。
【００１１】
上記生成された色差信号Ｒ−Ｙ′，Ｂ−Ｙ′は、色差ゲイン補正回路９によって適正なレベルに増幅され、色差信号Ｒ−Ｙ，Ｂ−Ｙとなる。この色差信号Ｒ−Ｙ，Ｂ−Ｙは、上記輝度信号の高周波成分ＹＨと共にエンコーダ回路１０に入力され、ここで標準テレビジョン信号が生成されて出力される。なお、上記色差信号Ｒ−Ｙ，Ｂ−Ｙは色信号検出用に用いられる。
【００１２】
第１の補正信号演算部１２の演算内容は、自動ホワイトバランスの基本的な制御のためのものである。その制御方法は、色信号検出部１１およびモード選択スイッチ１７を介して第１の補正信号演算部１２に入力される色差信号Ｒ−Ｙ，Ｂ−Ｙを、白に相当する第１の基準値１５と比較することによりホワイトバランス補正データを演算する。補正データは第１の補正信号演算部１２の内部で演算され、補正信号出力部１４からＲゲイン補正信号３１、Ｂゲイン補正信号３２としてホワイトバランス制御が行えるように出力される。
【００１３】
また、第２の補正信号演算部１３の演算内容は、ホワイトバランスセットの制御のためのものである。その制御方法は、色信号検出部１１およびモード選択スイッチ１７を介して第２の補正信号演算部１３に入力される色差信号Ｒ−Ｙ，Ｂ−Ｙを、白に相当する第２の基準値１６と比較することによりホワイトバランス補正データを演算する。
【００１４】
ホワイトバランスセットは、第１の補正信号演算部１２の補正に比べて高速に行われ、第２の基準値１６と等しくなったところで固定の補正値を出力して動作を停止する。そして、このとき得られた補正データは、補正信号出力部１４からＲゲイン補正信号３１、Ｂゲイン補正信号３２としてホワイトバランス制御が行えるように出力される。
【００１５】
モード選択スイッチ１７は、上述の第１の補正信号演算部１２を用いる自動ホワイトバランス制御と、第２の補正信号演算部１３を用いるホワイトバランスセットとを撮影者の意図によって切り替える。
【００１６】
図６および図７は、ホワイトバランス制御の基準値を示すベクトル図である。自動ホワイトバランス制御では完全な白を基準として制御を行うとは限らず、図６のように、むしろ意図的に基準値をずらして制御を行う場合がある。例えば、色温度が低い白熱灯などの照明下では、アンバー系の色にずらすことによって人間の色覚に近い表現をすることができる。このような場合には、白すなわちベクトルの中心からアンバー系にずらして基準値（第１の基準値１５）を設定する手法が用いられる。
【００１７】
一方、ホワイトバランスセットでは、図７のように、完全な白、すなわちベクトルの中心を基準値とすることが要求されるため、自動ホワイトバランス制御とは異なった基準値（第２の基準値１６）を採用する。
【００１８】
ところで、白色蛍光燈などの照明は、演色性が低く分光特性上黄色の分光パワーが高いため、一方の色差信号Ｒ−Ｙの利得を高く、他方の色差信号Ｂ−Ｙの利得を低く設定する必要がある。また、白熱灯などの照明は、分光特性上赤色の分光パワーが高いため、一方の色差信号Ｒ−Ｙの利得を低く、他方の色差信号Ｂ−Ｙの利得を高く設定する必要がある。
【００１９】
そこで、色補正制御部１８は、被写体の色温度や、色信号検出部１１において検出した色信号に応じて、第１の補正信号演算部１２若しくは第２の補正信号演算部１３の演算内容によってあらかじめ設定された色差補正情報に基づき、色差信号生成回路８で生成された色差信号Ｒ−Ｙ′，Ｂ−Ｙ′の色差ゲインに補正を加えるように色差ゲイン補正回路９に色差ゲイン補正量の情報を与える。
【００２０】
【発明が解決しようとする課題】
しかしながら、上記従来例の色差ゲイン補正では、自動ホワイトバランス制御動作時とホワイトバランスセット動作時とで同じ色差ゲイン補正情報を用いているため、ホワイトバランス制御基準値の違いから生じるホワイトバランス補正結果の差による色再現性の違いを補正しきれない場合があった。
【００２１】
本発明はこのような実情に鑑みて成されたものであり、その目的は、どのようなホワイトバランス制御モードでも、適切な色再現を実現するような色補正制御を自動的に行うことができるようにすることにある。
【００２２】
【課題を解決するための手段】
本発明の撮像装置は、ホワイトバランス制御された色信号に対して、与えられる色補正信号によって所定の色補正を加えるようにした撮像装置において、上記ホワイトバランス制御を様々なモードに応じて行うホワイトバランス制御手段と、上記ホワイトバランス制御の様々なモードを切り替えるためのモード切り替え手段と、上記ホワイトバランス制御の様々なモードに応じて、モードごとに異なる補正量の色補正信号を出力するモード数と同じ数の色補正制御手段と、上記色補正制御手段から出力される色補正信号に基づいて、上記ホワイトバランス制御手段から出力される色信号に対して上記所定の色補正を行う色補正手段とを備え、上記モード切り替え手段により切り替えられたモードに対応する色補正制御手段を用いて上記所定の色補正を行うようにしたことを特徴とする。
【００２３】
本発明の他の特徴とするところは、上記ホワイトバランス制御の様々なモードは、少なくとも自動ホワイトバランス制御モードとホワイトバランスセットモードとを含むことを特徴とする。
【００２４】
本発明のその他の特徴とするところは、上記ホワイトバランス制御の様々なモードは、少なくとも自動ホワイトバランス制御モードとプリセットホワイトバランスモードとを含むことを特徴とする。
【００２５】
本発明のその他の特徴とするところは、撮像素子の出力または外部光センサの出力に基づいて被写体を照明する光源の色温度を判定し、自動的にホワイトバランス制御を行う第１のホワイトバランス制御手段と、上記第１のホワイトバランス制御手段とは独立にホワイトバランス制御を行い、その制御結果を保持する第２のホワイトバランス制御手段と、上記第１のホワイトバランス制御手段を用いるモードと上記第２のホワイトバランス制御手段を用いるモードとの少なくとも２つのモードを切り替えるモード切り替え手段と、上記第１のホワイトバランス制御手段または上記第２のホワイトバランス制御手段によるホワイトバランス制御後の色信号に対して所定の色補正を加える色補正手段と、上記第１のホワイトバランス制御手段によるホワイトバランス制御に応じて上記色補正手段での補正量を決定する第１の色補正制御手段と、上記第２のホワイトバランス制御手段によるホワイトバランス制御に応じて上記色補正手段での補正量を決定する第２の色補正制御手段とを備え、上記第１の色補正制御手段と上記第２の色補正制御手段とで決定する補正量が異なることを特徴とする。
【００２６】
本発明のその他の特徴とするところは、撮像素子の出力または外部光センサの出力に基づいて被写体を照明する光源の色温度を判定し、自動的にホワイトバランス制御を行う第１のホワイトバランス制御手段と、上記第１のホワイトバランス制御手段とは独立し、少なくとも１つの特定のホワイトバランス制御信号を記憶しており、上記特定のホワイトバランス制御信号に基づいてホワイトバランス制御を行う第２のホワイトバランス制御手段と、上記第１のホワイトバランス制御手段を用いるモードと上記第２のホワイトバランス制御手段を用いるモードとの少なくとも２つのモードを切り替えるモード切り替え手段と、上記第１のホワイトバランス制御手段または上記第２のホワイトバランス制御手段によるホワイトバランス制御後の色信号に対して所定の色補正を加える色補正手段と、上記第１のホワイトバランス制御手段によるホワイトバランス制御に応じて上記色補正手段での補正量を決定する第１の色補正制御手段と、上記第２のホワイトバランス制御手段によるホワイトバランス制御に応じて上記色補正手段での補正量を決定する第２の色補正制御手段とを備え、上記第１の色補正制御手段と上記第２の色補正制御手段とで決定する補正量が異なることを特徴とする。
【００２７】
本発明のその他の特徴とするところは、上記色補正手段により行われる所定の色補正は、色差信号の利得を制御する処理であることを特徴とする。
【００２８】
本発明のその他の特徴とするところは、上記色補正手段により行われる所定の色補正は、色差信号の色相を制御する処理であることを特徴とする。
【００２９】
上記のように構成した本発明によれば、複数の色補正制御手段のうち、選択されているホワイトバランス制御モードに応じた色補正制御手段によってホワイトバランス制御後の色信号に対する補正量が決定され、色補正手段により色補正が行われるようになる。つまり、モード切り替え手段によってホワイトバランス制御のモードが切り替えられた場合、色補正手段では、そのモードに対応した色補正量を該当する色補正制御手段より得ることにより、色補正に使用する補正量が選択モードに適したものに変更される。
【００３０】
【発明の実施の形態】
（第１の実施形態）
図１は、本発明の特徴を最もよく表す図であり、図１中に示した各符号１〜１７，３１〜３２は従来例である図５に示したものと同じものである。以下では、図５と異なる部分を中心にして説明する。
【００３１】
図１において、２０は第１の色補正制御部であり、自動ホワイトバランス制御モード時のホワイトバランスの補正値に応じた色差ゲイン補正量を出力する。また、２１は第２の色補正制御部であり、ホワイトバランスセットモード時のホワイトバランスの補正値に応じた色差ゲイン補正量を出力する。なお、撮像装置の基本的な信号処理は、上述の従来例と同じである。
【００３２】
モード選択スイッチ１７は、図５の従来例と同様に、第１の補正信号演算部１２を用いる自動ホワイトバランス制御モードと、第２の補正信号演算部１３を用いるホワイトバランスセットモードとを撮影者の意図によって切り替える。ここで、モード選択スイッチ１７により自動ホワイトバランス制御モードが選択された場合は、色信号検出部１１およびモード選択スイッチ１７を介して第１の補正信号演算部１２に入力される色差信号Ｒ−Ｙ，Ｂ−Ｙを、白に相当する第１の基準値１５と比較することによりホワイトバランス補正データを演算する。
【００３３】
補正データは第１の補正信号演算部１２の内部で演算され、補正信号出力部１４からＲゲイン補正信号３１、Ｂゲイン補正信号３２としてホワイトバランス制御が行えるように各利得制御回路６，７に出力される。そして、被写体の色温度や、色信号検出部１１で検出した色信号に応じて第１の色補正制御部２０に色差補正情報を出力し、あらかじめ設定された補正を色差ゲインに加えるように色差ゲイン補正回路９を制御する。
【００３４】
ここで、白色蛍光燈と白熱灯とを例にあげて色差信号Ｒ−Ｙ，Ｂ−Ｙのゲイン補正量を説明する。
図２は、白色蛍光燈による照明下での色差信号の補正量の具体例を示したものである。
【００３５】
従来例でも述べたように、白色蛍光燈などの照明は、演色性が低く分光特性上黄色の分光パワーが高いため、一方の色差信号Ｒ−Ｙの利得を高く、他方の色差信号Ｂ−Ｙの利得を低く設定する。自動ホワイトバランス制御モードでは、基準値をアンバー系にずらしていることを考慮して、一方の色差信号Ｒ−Ｙの利得を通常の＋１．６ｄＢ、他方の色差信号Ｂ−Ｙの利得を通常の−１．２ｄＢに設定する。
【００３６】
また、図３は、白熱灯による照明下での色差信号の補正量の具体例を示したものである。白熱灯などの照明は、分光特性上赤色の分光パワーが高いため、一方の色差信号Ｒ−Ｙの利得を低く、他方の色差信号Ｂ−Ｙの利得を高く設定する。ここでも基準値をアンバー系にずらしていることを考慮して、一方の色差信号Ｒ−Ｙの利得を通常の−１．２ｄＢ、他方の色差信号Ｂ−Ｙの利得を通常の＋１．６ｄＢに設定する。
【００３７】
一方、モード選択スイッチ１７によってホワイトバランスセットモードが選択された場合は、色信号検出部１１およびモード選択スイッチ１７を介して第２の補正信号演算部１３に入力される色差信号Ｒ−Ｙ，Ｂ−Ｙを、白に相当する第２の基準値１６と比較することによりホワイトバランス補正データを演算する。
【００３８】
補正データは第２の補正信号演算部１３の内部で演算され、補正信号出力部１４からＲゲイン補正信号３１、Ｂゲイン補正信号３２としてホワイトバランス制御が行えるように各利得制御回路６，７に出力される。そして、被写体の色温度や、色信号検出部１１で検出した色信号に応じて第２の色補正制御部２１に色差補正情報を出力し、あらかじめ設定された補正を色差ゲインに加えるように色差ゲイン補正回路９を制御する。第２の色補正制御部２１は、第１の色補正制御部２０とは補正量の設定が異なり、第２の基準値１６に従ってホワイトバランス制御が行われた結果色再現性が適正になるような補正量が与えられている。
【００３９】
上述した白色蛍光燈と白熱灯とを例にあげてホワイトバランスセットモード時の色差信号Ｒ−Ｙ，Ｂ−Ｙの補正量を説明する。ホワイトバランスセットモードでは基準値を完全な白に設定していることを考慮すると、自動ホワイトバランス制御モード時よりも特に赤色の色差信号出力が小さくなる。したがって、この状態で色再現性を向上させるために、一方の色差信号Ｒ−Ｙの利得をより高く設定する必要がある。
【００４０】
そこで、白色蛍光燈の照明下では、図２にホワイトバランスセット時として示すように、一方の色差信号Ｒ−Ｙの利得を通常の＋２．０ｄＢ、他方の色差信号Ｂ−Ｙの利得を通常の−１．２ｄＢに設定する。また、白熱灯の照明下では、図３にホワイトバランスセット時として示すように、一方の色差信号Ｒ−Ｙの利得を通常の−０．８ｄＢ、他方の色差信号Ｂ−Ｙの利得を通常の＋１．６ｄＢに設定する。
【００４１】
このように、通常の撮影モード時（自動ホワイトバランス制御モード時）とホワイトバランスセットモード時とで、一方の色差信号Ｒ−Ｙ若しくは他方の色差信号Ｂ−Ｙの利得を変化させることにより、何れのモードにおいても最適なカラーバランスを得ることができる。
【００４２】
なお、図２および図３に示した数値はあくまでも一例であって、撮像素子や信号処理などのデバイスが異なる場合には補正量は異なる。また、ホワイトバランス制御のモード数は２つで説明したが、それ以上でも良く、それぞれのモードに応じた色差ゲイン補正量を設定するようにしても良いことは言うまでもない。
【００４３】
（第２の実施形態）
図４は、本発明の第２の実施形態を示すブロック図である。なお、図４中に示した各符号１〜１５，２０〜２１，３１〜３２は上述の第１の実施形態である図１に示したものと同じである。以下では、図１と異なる部分を中心にして説明する。
【００４４】
図４において、２２はホワイトバランス制御モードを切り替えるモード選択スイッチ、２３はプリセットホワイトバランスモード時にホワイトバランス補正を行う第３の補正信号演算部、２４はあらかじめ設定されたホワイトバランス制御信号を上記第３の補正信号演算部２３に出力するプリセット値出力部である。なお、撮像装置の基本的な信号処理は、上述の従来例と同じである。なお、上記プリセットホワイトバランスモードとは、想定される色温度に対応したホワイトバランス制御信号をあらかじめ備えており、その信号を出力するモードである。
【００４５】
上記モード選択スイッチ２２は、第１の補正信号演算部１２を用いる自動ホワイトバランス制御モードと、第３の補正信号演算部２３を用いるプリセットホワイトバランスモードとを撮影者の意図によって切り替える。ここで、モード選択スイッチ２２によって自動ホワイトバランス制御モードが選択された場合は、上述の第１の実施形態と同様に、第１の補正信号演算部１２に入力された色差信号Ｒ−Ｙ，Ｂ−Ｙを用い、白に相当する第１の基準値１５と比較することによりホワイトバランス補正データを演算する。
【００４６】
補正データは第１の補正信号演算部１２の内部で演算され、モード選択スイッチ２２を介して補正信号出力部１４からＲゲイン補正信号３１、Ｂゲイン補正信号３２としてホワイトバランス制御が行えるように各利得制御回路６，７に出力される。そして、被写体の色温度や、色信号検出部１１で検出した色信号に応じて第１の色補正制御部２０に色差補正情報を出力し、あらかじめ設定された補正を色差ゲインに加えるように色差ゲイン補正回路９を制御する。
【００４７】
一方、モード選択スイッチ２２によってプリセットホワイトバランスモードが選択された場合は、第３の補正信号演算部２３には、色差ゲイン補正回路９より出力される色差信号Ｒ−Ｙ，Ｂ−Ｙとは関係なく、プリセット値出力部２４から出力されたあらかじめ記憶されているプリセットホワイトバランス信号が入力される。
【００４８】
上記プリセットホワイトバランス信号は、第３の補正信号演算部２３の内部で所定の演算が施され、モード選択スイッチ２２を介して補正信号出力部１４からＲゲイン補正信号３１、Ｂゲイン補正信号３２としてホワイトバランス制御が行えるように各利得制御回路６，７に出力される。そして、被写体の色温度や、色信号検出部１１で検出した色信号に応じて第２の色補正制御部２１に色差補正情報を出力し、自動ホワイトバランス制御モードとは異なるあらかじめ設定された補正を色差ゲインに加えるように色差ゲイン補正回路９を制御する。
【００４９】
プリセットホワイトバランスモード時の色差ゲイン補正量は、上述の第１の実施形態のホワイトバランスセット時の色差ゲイン補正量と同様のもので、プリセット状態で色バランスが最適になるよう補正される。
【００５０】
このように、通常の撮影モード時（自動ホワイトバランス制御モード時）とプリセットホワイトバランスセットモード時とで一方の色差信号Ｒ−Ｙ若しくは他方の色差信号Ｂ−Ｙの利得を変化させることにより、何れのモードにおいても最適なカラーバランスを得ることができる。
【００５１】
なお、以上の実施形態では、色差ゲイン補正回路９で色差信号Ｒ−Ｙ，Ｂ−Ｙの利得を制御することにより色補正を行っていたが、色差信号Ｒ−Ｙ，Ｂ−Ｙの色相を制御することにより色補正を行うようにしても良い。
【００５２】
【発明の効果】
本発明は上述したように、ホワイトバランス制御の様々なモードに応じて、モードごとに異なる補正量の色補正信号を出力する色補正制御手段をモード数と同じ数だけ設け、切り替えられたモードに対応する色補正制御手段を用いてホワイトバランス制御後の色信号に所定の色補正を加えるようにしたので、各ホワイトバランスモードごとに色信号の補正量を適切に変えることができ、どのようなホワイトバランスモードでも、適切な色再現を実現することができる。
【００５３】
例えば、ホワイトバランス制御の様々なモードとして、自動ホワイトバランス制御モードとホワイトバランスセットモードとを含む場合には、自動ホワイトバランス制御モードとホワイトバランスセットモードとで色信号の補正量を適切に変えることができ、ホワイトバランスセットモード時のカラーバランスを向上させることができる。
【００５４】
また、ホワイトバランス制御の様々なモードとして、自動ホワイトバランス制御モードとプリセットホワイトバランスモードとを含む場合には、自動ホワイトバランス制御モードとプリセットホワイトバランスモードとで色信号の補正量を適切に変えることができ、プリセットホワイトバランスモード時のカラーバランスを向上させることができる。
【図面の簡単な説明】
【図１】本発明の第１の実施形態による撮像装置の構成を示すブロック図である。
【図２】白色蛍光燈下での色差ゲイン補正量を示す図である。
【図３】白熱灯下での色差ゲイン補正量を示す図である。
【図４】本発明の第２の実施形態による撮像装置の構成を示すブロック図である。
【図５】従来例の撮像装置の構成例を示すブロック図である。
【図６】自動ホワイトバランス制御時の基準値を示すベクトル図である。
【図７】ホワイトバランスセット時の基準値を示すベクトル図である。
【符号の説明】
１  レンズ
２  アイリス
３  撮像素子
４  ＡＧＣアンプ（自動利得制御回路）
５  輝度色度信号生成回路
６  Ｒ信号利得制御回路
７  Ｂ信号利得制御回路
８  色差信号生成回路
９  色差ゲイン補正回路
１０  エンコーダ回路
１１  色信号検出部
１２  第１の補正信号演算部
１３  第２の補正信号演算部
１４  補正信号出力部
１５  第１の基準値
１６  第２の基準値
１７  モード選択スイッチ
２０  第１の色補正制御部
２１  第２の色補正制御部
２２  モード選択スイッチ
２３  第３の補正信号演算部
２４  プリセット値出力部
【図１】
0003559653.tif 000002
【図２】
0003559653.tif 000003
【図３】
0003559653.tif 000004
【図４】
0003559653.tif 000005
【図５】
0003559653.tif 000006
【図６】
0003559653.tif 000007
【図７】
0003559653.tif 000008